(57)【要約】【課題】  メニュー画面を表示する場合、メニュー画面内に含まれたボタンの動作によってメニューページを転換する時に画面転換効果を制御して自然なボタンナビゲーションを可能にする。【解決手段】  消え効果情報及び制御情報を含む一つ以上のメニューページを含むグラフィックデータを読み取るステップと、読み取ったグラフィックデータをデコーディングしてメニューページを画面に表示するステップと、表示したメニューページが画面から消える時、消えるメニューページに含まれた消え効果情報及び制御情報に基づいてメニューページ消え効果を実行するか否かを決定し、メニューページ消え効果を実行するステップを含み、消え効果情報は、対応するメニューページをどのように消えるようにするかを表すメニューページ消え効果を定義するために使われ、制御情報は対応するメニューページが消える時にメニューページ消え効果を実行するか否かを決定するために使われることを特徴とする再生方法である。【選択図】      図５
2011086373.tif 000002
【特許請求の範囲】
【請求項１】
消え効果情報及び制御情報を含む一つ以上のメニューページを含むグラフィックデータを読み取るステップと、
前記読み取ったグラフィックデータをデコーディングしてメニューページを画面に表示するステップと、
前記表示したメニューページが画面から消える時、前記消えるメニューページに含まれた消え効果情報及び制御情報に基づいてメニューページ消え効果を実行するか否かを決定し、前記メニューページ消え効果を実行するステップを含み、
前記消え効果情報は、対応するメニューページをどのように消えるようにするかを表すメニューページ消え効果を定義するために使われ、前記制御情報は対応するメニューページが消える時に前記メニューページ消え効果を実行するか否かを決定するために使われることを特徴とする再生方法。
【請求項２】
前記制御情報は、前記メニューページに含まれるボタン情報に含まれ、前記メニューページは、ボタンが選択された場合に、前記制御情報に基づいてメニューページ消え効果を実行するかまたは実行せずに他のメニューページに転換されることを特徴とする請求項１に記載の再生方法。
【請求項３】
記録及び/または再生装置に利用するためのマルチメディア情報記録媒体において、
前記情報記録媒体はグラフィックデータを含み、
前記グラフィックデータは複数の画面転換効果を定義する複数のメニューページを含み、
前記各メニューページは、メニューページがメニュー画面に現れたり消えたりする時実行される効果情報、転換効果定義情報項目及び他のメニューページに移動するようにするナビゲーション命令語を収録している複数のボタン情報項目を含み、
前記各転換効果定義情報項目は、対応するボタン情報項目が選択される時対応する転換効果定義情報項目を装置が選択できるように対応するボタン情報項目と関連し、
前記各メニューページは、メニューページをどのように消えるようにするかを表すメニューページ消え効果を定義するために、前記装置によって使われる消え効果情報及び前記メニューページが消える時前記消え効果を実行するか否かを決定するために前記装置によって使われる制御情報を含むことを特徴とする情報記録媒体。
【発明の詳細な説明】
【技術分野】
【０００１】
本発明は、マルチメディア画像の再生に係り、さらに詳細には、多様な画面転換効果を有するメニューを提供するインターラクティブグラフィックストリームを記録した記録媒体、その再生装置及び再生方法に関する。
【背景技術】
【０００２】
マルチメディア画像を再生するために、記録媒体には、マルチメディア画像ＡＶデータ、ＡＶデータの再生を制御するナビゲーションデータ、そして記録媒体が再生装置に挿入されれば、最初に再生されるＡＶデータのタイトルに対する指示情報を含むシステムデータが記録される。その他に記録媒体には、その他の付加データが含まれうる。特に、本発明によるインターラクティブグラフィックストリームは、ビデオ、オーディオ、サブタイトルなどのストリームと共に、一つのメインストリームに多重化されて記録されるか、あるいはメインストリームと多重化されず、別個のファイルに記録されることもできる。
【０００３】
図１は、複数の要素ストリームを多重化したＡＶデータの構成を示す図である。図１を参照するに、マルチメディア画像を再生するための記録媒体には、ビデオストリーム１０２、オーディオストリーム１０４、サブタイトルを提供するためのプレゼンテーショングラフィックストリーム１０６及びユーザとの相互作用のためにメニュー画面を提供するインターラクティブグラフィックストリーム１０８が多重化されて一つのメーンストリームに記録される。多重化されたメインストリームを、以下ではＡＶデータ１１０と略称する。また、図示されていないが、インターラクティブグラフィックストリームは、メインストリームに多重化されず、別途に存在することもできる。
【０００４】
図２は、従来のインターラクティブグラフィックストリーム１０８に含まれる複数のメニューページの構成を示す図である。図２を参照するに、メニュー画面を提供するインターラクティブグラフィックストリームは、複数のメニューページを有する。メニューページは、一枚のメニューを画面に表示するための単位を称す。各メニューページには、該当メニューページが見られる時に実行されるＩＮ  ＥＦＦＥＣＴ情報及びメニューページが消える時に実行されるＯＵＴ  ＥＦＦＥＣＴ情報３１４、前記メニューページで表示するボタンの情報６０２が含まれる。メニューページに含まれた複数のボタンのうち、一部のボタンは、他のメニューページに移動するナビゲーション命令語を含むことによって、複数のメニューページを具現できる。このとき、メニューページ間の転換が発生する場合、新たに登場するボタン、あるいは消えるボタンの力動的な動きを表現するために、各メニューページは、前述した画面転換情報のＩＮ  ＥＦＦＥＣＴ情報及びＯＵＴ  ＥＦＦＥＣＴ情報３１４を含む。すなわち、特定メニューページに含まれたボタンを利用して、次のメニューページに転換される場合、特定メニューページのＯＵＴ  ＥＦＦＥＣＴが実行され、次いで、次のメニューページのＩＮ  ＥＦＦＥＣＴが実行された後、次のメニューページを画面に表示する。しかし、前記のようなメニューページ内の画面転換効果は、次のような問題点がある。
【０００５】
第一に、メニューページの転換時、メニューページの間には、以前メニューページのＯＵＴ  ＥＦＦＥＣＴ、次のメニューページのＩＮ  ＥＦＦＥＣＴの順序で無条件画面転換効果が実行され、不自然な画面転換効果が発生するという問題点がある。
【０００６】
さらに具体的に、図３Ａないし図３Ｄは、図２に示された複数のメニューページの構成を利用してメニュー画面を表示する場合の問題点を説明するための図である。図３Ａないし図３Ｄを参照するに、製作者がメインメニュー内のボタンが実行される時に、サブメニューが自然にスライディングされて登場する効果を与えようとする場合、このような効果は、図のように２つのメニューページを利用して具現しうる。メニューページ１は、図示したように、該当メニューページが表示されねばならない場合、該当メニューページが徐々に現れ、該当メニューページが消えねばならない場合、該当メニューページが徐々に消える画面転換効果を有する。該当メニューページが表示されねばならない場合とは、メニューが表示されねばならないプレゼンテーションタイムスタンプ（Ｐｒｅｓｅｎｔａｔｉｏｎ  Ｔｉｍｅ  Ｓｔａｍｐ：ＰＴＳ）時点となったか、あるいはポップアップのようなユーザ操作によってメインメニューが登場するか、あるいは他のページのボタンナビゲーション命令語によってメインメニューが表示される場合を示す。また、メニューが消えねばならない場合には、有効な再生期間が終わったか、あるいはポップアップのようなユーザ操作によってメニューページが消える時を示す。このような効果を表現するために、ＩＮ  ＥＦＦＥＣＴとしては、メニューページ１が下方から徐々に大きくなる効果を有するように定義し、ＯＵＴ  ＥＦＦＥＣＴとしては、再び徐々に小さくなる効果を有するように定義せねばならない。このとき、前述した転換効果を表現するために、複数の画像が必要なものではなく、ＩＮ  ＥＦＦＥＣＴの最後の図、あるいはＯＵＴ  ＥＦＦＥＣＴの最初の図のような一枚のイメージを準備した後、クロッピングを通じて所望の部分のみを切り取って所定のウィンドウ領域に表示すればよい。一方、メニューページ１内のボタンには、メニューページ２に移動せよというナビゲーション命令語が割当てられていると仮定する。
【０００７】
また、図３Ｃ及び図３Ｄを参照するに、メニューページ２のＩＮ  ＥＦＦＥＣＴとＯＵＴ  ＥＦＦＥＣＴとが示される。ＩＮ  ＥＦＦＥＣＴは、前記メニューページ１に含まれているボタンがユーザによって実行されれば、新たなサブメニューがスライド形式で登場する効果を表しており、ＯＵＴ  ＥＦＦＥＣＴは、サブメニューがスライド形式で徐々に消える効果を表している。
【０００８】
しかし、このように、２個のメニューページを組合わせて構成する場合、ユーザがメインメニューであるメニューページ１のボタンを実行させれば、ボタンが実行されると同時に、サブメニューが自然にスライディングされて登場すると共に、製作者が意図した通りにメニューが表現できない。それは、メニューページ１のＯＵＴ  ＥＦＦＥＣＴが実行されるので、メニューページ１が完全に消えた後、メニューページ２のＩＮ  ＥＦＦＥＣＴと共に消えたメインメニューが画面に突然に現れつつ、サブメニューが徐々に現れるためである。すなわち、メニューページの転換時、製作者が所望しないエフェクトも無条件実行されて、製作者が意図した通りにメニューの転換を自然に処理できないという問題点が発生する。
【０００９】
第二に、一つのメニューページが異なる複数のメニューページから表示されるか、あるいは異なる複数のメニューページにナビゲーションが可能な場合、該当メニューページは、転換される他のメニューページのボタン構成位置によって多様な画面転換効果を与えねばならない。しかし、従来のメニューページの構造としてはこれを支援できないので、自然な画面転換効果を表現できないという問題点がある。
【発明の概要】
【発明が解決しようとする課題】
【００１０】
本発明の技術的課題は、前述した問題点を解決するために、メニュー画面を表示する場合、メニュー画面内に含まれたボタンの動作によってメニューページを転換する時に画面転換効果を制御して自然なボタンナビゲーションを可能にする、複数のページメニューを提供するインターラクティブグラフィックストリームが記録された記録媒体、その再生装置、及び再生方法を提供することである。
【００１１】
また、各ページ間の転換時に多様な転換効果を適用できるインターラクティブグラフィックストリームが記録された記録媒体、その再生装置及び再生方法を提供することである。
【課題を解決するための手段】
【００１２】
前述した技術的課題は、本発明によって、マルチメディア情報が記録された記録媒体において、ビデオデータと、ビデオデータに基づいた画像にオーバーレイされるメニュー画面を提供するグラフィックデータとを含み、グラフィックデータは、複数のメニューページを提供し、各メニューページは、画面転換効果を定義する転換効果情報及びメニューページ間の転換時に定義された画面転換効果を実行するか否かを定義する制御情報を含むことを特徴とする記録媒体によって達成される。
【００１３】
また、前記制御情報は、メニューページに含まれるボタン情報の一部に含まれることが望ましい。
【００１４】
また、前記ボタン情報は、メニューページに含まれたボタンを選択した場合に実行されるナビゲーション命令語で構成されることが望ましい。
【００１５】
また、前記各メニューページは、少なくとも一つの転換効果情報を含むことが望ましく、前記各メニューページは、少なくとも一つの転換効果情報のうち、別途の定義がない限り、メニューページの転換時にデフォルトとして実行される転換効果情報を指定することが特に望ましい。
【００１６】
また、前記転換効果情報は、各メニューページが画面に表示される時に実行される画面転換効果と、画面から消える時に実行される画面転換効果を含むことが望ましい。
【００１７】
前記制御情報は、ナビゲーション命令語で構成され、ナビゲーション命令語は、変であって、該当ナビゲーション命令語が適用されるメニューページの識別子、及び転換効果情報のうち、画面から現れたり消えたりする効果情報を指定する情報を含むことが望ましい。
【００１８】
前記ナビゲーション命令語は、変数であって、転換効果情報の識別子をさらに含むことが望ましい。
【００１９】
一方、本発明の他の分野によれば、前述した技術的課題は、ビデオデータをデコーディングするビデオデコーダと、ビデオデータに基づいた画像にオーバーレイされるメニュー画面のためのグラフィックデータをデコーディングするグラフィックデコーダとを備え、グラフィックデコーダは、複数のメニューページに定義された転換効果情報及びメニューページ間の転換時に定義された画面転換効果を実行するか否かを定義する制御情報を解釈し、解釈された前記転換効果情報及び前記制御情報によって該当メニューページを画面に表示することを特徴とする再生装置によって達成される。
【００２０】
また、前記制御情報は、メニューページに含まれるボタン情報の一部に含まれ、グラフィックデコーダは、制御情報に基づいて該当ボタンが選択された場合、該当画面転換効果を実行するか、または実行せずに他のメニューページに転換するように制御することが望ましい。
【００２１】
一方、本発明の他の分野によれば、前述した技術的課題は、メニュー画面を提供する複数のメニューページを含むグラフィックデータを読取るステップと、読取ったグラフィックデータをデコーディングして該当メニューページを画面に表示するステップと、メニューページの転換要求がある場合、該当メニューページに含まれた既定義の所定の画面転換及び前記メニューページ間の転換時に定義された画面転換効果を実行するか否かを定義する制御情報を解釈し、解釈された前記転換効果情報及び前記制御情報によって該当メニューページを画面に表示するステップと、を含むことを特徴とする再生方法によって達成される。
【発明の効果】
【００２２】
本発明によれば、力動的なボタンナビゲーションが可能に複数のページメニューを提供するインターラクティブグラフィックストリームが記録された記録媒体、その再生装置、及び再生方法が提供される。
【図面の簡単な説明】
【００２３】
【図１】複数の要素ストリームを多重化したＡＶデータの構成を示す図である。
【図２】従来のインターラクティブグラフィックストリームに含まれる複数のメニューページの構成を示す図である。
【図３Ａ】図２に示された複数のメニューページの構成を利用して、メニュー画面を表示する場合の問題点を説明するための図である。
【図３Ｂ】図２に示された複数のメニューページの構成を利用して、メニュー画面を表示する場合の問題点を説明するための図である。
【図３Ｃ】図２に示された複数のメニューページの構成を利用して、メニュー画面を表示する場合の問題点を説明するための図である。
【図３Ｄ】図２に示された複数のメニューページの構成を利用して、メニュー画面を表示する場合の問題点を説明するための図である。
【図４】本発明の望ましい実施例によって、ＡＶデータを再生する装置を示すブロック図である。
【図５】本発明の望ましい実施例によって、円滑な画面転換効果のための制御情報が含まれた複数のメニューページの構造を示す図である
【図６】本発明の一実施例であって、多様な画面転換効果を定義したメニューページの構造を示す図である。
【図７】図６に示された複数のメニューページを画面に表示した例を示す図である。
【図８】本発明の望ましい実施例によって、インターラクティブグラフィックストリームを再生する方法を示すフローチャートである。
【図９】記録及び／または再生装置のブロック図である。
【発明を実施するための形態】
【００２４】
以下では、添付した図面を参照して本発明の望ましい実施例を詳細に説明する。
【００２５】
図４は、本発明の望ましい実施例によって、ＡＶデータ１１０を再生する装置のブロック図である。図４を参照するに、本発明による再生装置は、読み取り部４１０、ジマルチプレクサ４２０、各デコーダ４３０ないし４６０、及びブレンダ４７０を備える。再生装置の側面で説明されたが、本発明の特徴は、データを再生することだけでなく、データを記録する装置でも具現されうるということを理解せねばならない。
【００２６】
具体的に、読み取り部４１０は、記録媒体４００から多重化されたＡＶデータ１１０を読み取り、これをジマルチプレクサに伝送する。ジマルチプレクサ４２０は、伝送されたＡＶデータ１１０をデータ種類によってビデオストリーム１０２、オーディオストリーム１０４、プレゼンテーショングラフィックストリーム１０６、及びインターラクティブグラフィックストリーム６０８に分離して該当デコーダ４３０ないし４６０に伝送する。該当デコーダに伝送された各ストリームは、データ種類に合うようにデコーディングされ、指定された時間に画面上に出力されうるように準備される。デコーディングされたビデオストリームとプレゼンテーショングラフィックストリーム及び／またはインターラクティブグラフィックストリームは、ブレンダ４７０を通じて一つの画像にオーバーレイされる。最後に、ユーザが設定した出力状態に基づいて選択された画像が画面に出力される。例えば、サブタイトルのオン／オフ、オーディオ音消去のように、ユーザの選択に基づいて再生装置の出力状態が制御されうる。記録媒体４００は、これに限定されず、他の光記録媒体、例えば、ＣＤ、ＤＶＤ、ブルーレイディスク、ＨＤ  ＤＶＤ、ＡＯＤや、マグネチック媒体、光磁気媒体及び／またはフラッシュメモリとなりうる。
【００２７】
特に、インターラクティブグラフィックデコーダ４５０は、記録媒体４００からインターラクティブグラフィックストリーム６０８を伝送されてこれをデコーディングした後、指定された時間となれば、画面上にボタンが含まれたメニュー画面を出力する。出力されたメニュー画面で、ユーザが、ボタン、マウス、タッチスクリーン、または他の入力装置を利用して、特定ボタンやグラフィックユーザインターフェースを選択することによって、ユーザの選択を入力されうる。すなわち、ユーザとの相互作用機能を提供できる。
【００２８】
一方、前述したように、インターラクティブグラフィックストリームは、ＯＵＴ−ｏｆ−ｍｕｘの形態でＡＶデータと別途に記録媒体に保存されることもある。
【００２９】
本発明では、多様な再生順序を有するメニューページで自然な画面転換効果のために、メニューページに含まれた画面転換効果の実行如何を決定可能にするナビゲーション命令語を含むインターラクティブグラフィックストリーム６０８の構造を提供する。
【００３０】
製作者が定義する画面転換効果を正しく具現するためのインターラクティブグラフィックストリーム６０８の構造は、
１）一つのメニュー画面を具現するために、少なくとも一つ以上のメニューページを含み、
２）各メニューページは、該当ページが表示される時に実行されねばならないＩＮ  ＥＦＦＥＣＴ効果情報を含み、
３）各メニューページは、ページが消える時に実行されねばならないＯＵＴ  ＥＦＦＥＣＴ効果情報を含み、
４）他のメニューページに移動するナビゲーション命令語を含むボタンの場合、前述した２）と３）の転換効果情報３１４の実行如何を決定するナビゲーション命令語をさらに含むことが望ましい。
【００３１】
図５は、本発明の望ましい実施例によって、円滑な画面転換効果のための制御情報８０２が含まれた複数のメニューページの構造を示す図である。図５を参照するに、本発明によるインターラクティブグラフィックストリーム６０８には、円滑な画面転換効果のための制御情報８０２として、ＩＮ  ＥＦＦＥＣＴ効果とＯＵＴ  ＥＦＦＥＣＴ効果とをそれぞれ実行するか否かを制御するナビゲーション命令語がさらに含まれる。すなわち、ナビゲーション命令語は、画面転換効果を実行するか、あるいは実行しないかを表す“Ｅｎａｂｌｅ”及び“Ｄｉｓａｂｌｅ”命令語を含み、その変数としてページＩＤ“ｐａｇｅ＿ｉｄ”と、ＩＮ  ＥＦＦＥＣＴ効果なのかＯＵＴ  ＥＦＦＥＣＴ効果なのかを指定する情報“ｉｎ／ｏｕｔ”とが使われることが望ましい。このような制御情報８０２は、該当ボタンまたはインターフェースが押さえられた時に実行されるナビゲーション命令語の集合であるボタン情報またはグラフィックユーザインターフェース６０２の一部として含まれうる。
【００３２】
図５に示した例を説明するために、まず、メニューページ１及び２は、前述した図３Ａないし図３Ｄのような画面転換効果を有すると仮定する。すなわち、メニューページ１のＩＮ  ＥＦＦＥＣＴは、ボタンまたはグラフィックユーザインターフェース１が画面上にフェードインとして現れ、ＯＵＴ  ＥＦＦＥＣＴでボタンまたはグラフィックユーザインターフェース１が画面上にフェードアウトとして消えるように定義されていると仮定する。また、メニューページ２のＩＮ  ＥＦＦＥＣＴは、ボタンまたはグラフィックユーザインターフェース１を画面に表示し続け、ボタン２は、ボタン１からスライド形式で表示され、ＯＵＴ  ＥＦＦＥＣＴは、ボタンまたはグラフィックユーザインターフェース１を画面に表示し続けて、ボタン２がスライド形式で消えるようになっていると仮定する。
【００３３】
このように定義されたインターラクティブグラフィックストリーム６０８を特別の制御なしに再生装置を通じて再生する場合、図３Ａないし図３Ｄで説明したように、ユーザがメインメニューであるメニューページ１のボタンを実行させれば、ボタンが実行されると同時に、サブメニューが自然にスライディングされて登場するように、製作者が意図した通りにはメニューが表現できない。それは、メニューページ１のＯＵＴ  ＥＦＦＥＣＴが実行されるので、メニューページ１が完全に消えた後、メニューページ２のＩＮ  ＥＦＦＥＣＴのように消えたメインメニューが画面に突然に現れつつ、サブメニューが徐々に現れるためである。すなわち、メニューページ転換時に製作者が所望しないＥＦＦＥＣＴも無条件実行されて、製作者が意図した通りにメニューの転換を自然に処理できないという問題点が発生する。
【００３４】
したがって、本発明の望ましい実施例によるインターラクティブグラフィックストリームは、メニューページ１のボタン命令語としてＤｉｓａｂｌｅ  Ｅｆｆｅｃｔ（“１”,“ｏｕｔ”）、Ｅｎａｂｌｅ  Ｅｆｆｅｃｔ（“２”,“ｉｎ”）を含めることによって、二つのページ間の転換時にメニューページ１のＯＵＴ  ＥＦＦＥＣＴが実行されないように制御して自然な画面転換効果を表現できる。
【００３５】
図６は、本発明の一実施例であって、多様な画面転換効果を定義したメニューページの構造を示す図である。図６を参照するに、インターラクティブグラフィックストリーム６０８は、多様な再生順序によって適合な画面転換効果がなされるように、メニューページ内に複数の転換効果情報３１４を含むことが望ましい。
【００３６】
さらに具体的に、インターラクティブグラフィックストリーム６０８は、一つのメニュー画面を具現するために最小一つ以上のメニューページを含み、各メニューページは、ページが表示される時に画面転換効果を制御するナビゲーション命令語がない場合、基本的に実行されねばならないＤＥＦＡＵＬＴ  ＩＮ  ＥＦＦＥＣＴ効果情報９０２を含み、各メニューページは、ページが消える時に画面転換効果を制御するナビゲーション命令語がない場合、基本的に実行されねばならないＤＥＦＡＵＬＴ  ＯＵＴ  ＥＦＦＥＣＴ効果情報９０２を含み、各メニューページの転換時、画面転換効果を制御するナビゲーション命令語によって実行可能な複数の転換効果定義情報項目１ないしＮを含み、各メニューページは、さらに他のメニューページに移動せよというナビゲーションコマンドを含んでいるボタン情報１ないしＮを含む。また、ボタン情報は、デフォルトイン効果情報及びデフォルトアウト効果情報の画面転換効果情報を実行し、複数の転換効果情報項目３１４を実行するか否かを決定するナビゲーションコマンドを含む。
【００３７】
図７は、図６に示された複数のメニューページを画面に表示した例を示す図である。図７及び図６を参照するに、本発明の他の実施例であって、インターラクティブグラフィックストリームは、メニューページの転換時に実行される画面転換効果を制御できるナビゲーション命令語１００２と、各メニューページに複数の転換効果情報３１４とを含む。
【００３８】
各ボタンの実行によって、一つのメニューページから複数の他のメニューページに画面転換されることが一般的である。したがって、図６に示したように、一つのＩＮ  ＥＦＦＥＣＴ効果及び一つのＯＵＴ  ＥＦＦＥＣＴ効果のみを定義する場合、製作者が所望の画面転換効果が正しく具現できない場合が発生する。例えば、図７の場合、メニューページ２で左側の矢印ボタンを押した場合には、ボタンまたはグラフィックユーザインターフェース１,２,３を表示せねばならないが、右側矢印ボタンを押した場合には、ボタンまたはグラフィックユーザインターフェース３,４,５を表示せねばならない。すなわち、具現されねばならない画面転換効果が変わるので、一つのＩＮ  ＥＦＦＥＣＴ効果及び一つのＯＵＴ  ＥＦＦＥＣＴ効果のみでは、製作者が所望の画面転換効果が正しく具現できない。
【００３９】
したがって、本実施例によるメニューページは、図６に示したように、複数の画面転換定義効果情報項目９０４を含むことが望ましい。また、図７に示したように、画面転換効果を制御するナビゲーション命令語１００２は、そのパラメータとして、複数の転換効果情報のうち一つの効果を選択する変数“ｅｆｆｅｃｔ＿ｉｄ”をさらに含めることが望ましい。これにより、メニューページの転換時に特定メニューページの複数の転換効果のうち一つの効果を選択して実行しうる。
【００４０】
例えば、図７に示した例のように、メニューページ２から複数の異なるメニューページに画面転換が発生するとき、左側に表示されたボタン情報６０２のように、メニューページ１のＩＮ  ＥＦＦＥＣＴ効果を表示せず、メニューページ２のＯＵＴ  ＥＦＦＥＣＴは、複数の転換効果情報のうちＩＤ  １を有する転換効果を実行させ、メニューページ１に転換させうる。一方、右側に表示されたボタン情報６０２のように、右側矢印が押さえられた場合には、他の画面転換効果、すなわち、メニューページ３のＩＮ  ＥＦＦＥＣＴ効果を表示せず、メニューページ２のＯＵＴ  ＥＦＦＥＣＴは、複数の転換効果情報のうち、ＩＤ  ２を有する転換効果を実行させうる。すなわち、多様な画面転換効果のうち一つの効果を指定しうる。
【００４１】
また、デフォルトとして実行される転換効果情報９０２を含むことによって、ボタン命令語に含まれたナビゲーション命令語が実行されない場合、すなわち、例えば、最初のページが表示されるか、または有効な再生期間後に該当メニューページが消えるとき、またはユーザ入力装置に備えられたポップアップボタンやポップオフボタンのようなユーザ操作によってメニューページが表示されるか、または消えるとき、基本的に適用される画面転換効果を指定しうる。このように、定義項目１ないしＮ
９０４は、ボタン情報１ないしＮに対応する。本例では、同じ数で表示されたが、定義項目９０４は、ボタン情報項目の数字と異なりうる。
【００４２】
図８は、本発明の望ましい実施例によってインターラクティブグラフィックストリームを再生する方法を示すフローチャートである。図８を参照するに、効果的にメニュー画面を表示するために、まずメニュー画面を提供する複数のメニューページで構成されたインターラクティブグラフィックストリームを読取る（ステップ１１０２）。読取ったインターラクティブグラフィックストリームをデコーディングして該当メニューページを画面に表示する（ステップ１１０４）。このとき、ユーザからメニューページ転換要求がある場合、すなわち、ユーザがメニューページ転換命令語の含まれたボタンまたはグラフィックユーザインターフェースを押すか、またはユーザ入力装置に備えられたポップアップボタンやポップオフボタンを押した場合には、該当メニューページに含まれた転換効果情報の実行如何を定義する制御情報に基づいて転換効果を表示するか、または表示せず、指定された他のメニューページを画面に表示する（ステップ１１０８）。
【００４３】
図９は、本発明の特徴に対応する記録及び／または再生装置のブロック図である。図９を参照するに、記録及び／または再生装置は、記録／読取部１、例えば、ピックアップとコントローラ２、メモリ３を備える。記録／読取部１は、本発明による記録媒体１００／からデータを記録／読取る。コントローラ２は、図４ないし図８に関連した本発明の実施例によるディスク関連のデータを記録し、かつ再生する。
【００４４】
本発明はまた、コンピュータで読み取り可能な記録媒体にコンピュータで読み取り可能なコードとして具現することが可能である。コンピュータで読み取り可能な記録媒体は、コンピュータシステムによって読み取られうるデータが保存される全ての種類の記録装置を含む。コンピュータで読み取り可能な記録媒体の例としては、ＲＯＭ、ＲＡＭ、ＣＤ−ＲＯＭ、磁気テープ、ハードディスク、フロッピー（登録商標）ディスク、フラッシュメモリ、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードとして保存されかつ実行されうる。
【００４５】
以上、ビデオデータと関連して説明されたが、メニューは、ビデオデータの代りに他の形態のデータ、停止画像及び／またはテキストを通じて生成されうる。
【００４６】
すなわち、各メニューページに含まれた画面転換用のボタン情報に転換効果情報の実行如何を制御できるナビゲーション命令語を含めるか、あるいは複数の転換効果情報を転換効果情報の実行如何を制御及び選択するためのナビゲーション命令語と共に含めることによって、画面転換時に複数の転換効果情報のうち一つの効果を指定して実行如何を決定しうる。これにより、多様な画面転換効果を効果的に表現できる。
【００４７】
以上の説明は、本発明の一実施例に過ぎず、当業者は、本発明の本質的特性から逸脱しない範囲で変形された形態で具現しうるであろう。したがって、本発明による実施例に限定されず、特許請求範囲に記載の内容と同等な範囲内にある多様な実施形態が含まれるように解釈されねばならない。
【００４８】
なお、以上説明した１つ以上の実施形態について付記を記す。
（付記１）記録及び／または再生装置に利用するためのマルチメディア情報記録媒体において、
ビデオデータと、
前記ビデオデータに基づいた画像にオーバーレイされるメニュー画面を提供するために、前記装置によって使われるグラフィックデータを含み、
前記グラフィックデータは、複数のメニューページを含み、前記各メニューページは、画面転換効果を定義するために、前記装置によって使われる転換効果情報及び前記メニューページ間の第１転換時に定義された第１画面転換効果を実行し、複数のメニューページ間の第２転換が発生する時に第２画面転換効果を実行するために、前記装置によって使われる制御情報を含むことを特徴とする記録媒体。
（付記２）前記制御情報は、前記メニューページに含まれるボタン情報の一部に含まれることを特徴とする付記１に記載の記録媒体。
（付記３）前記ボタン情報は、前記メニューページに含まれたボタンを選択した場合に実行されるナビゲーション命令語で構成されることを特徴とする付記２に記載の記録媒体。
（付記４）前記各メニューページは、少なくとも一つの前記転換効果情報を含むことを特徴とする付記１に記載の記録媒体。
（付記５）前記各メニューページは、少なくとも一つの前記転換効果情報のうち、別途の定義がない限り、メニューページの転換時にデフォルトとして実行される転換効果情報を指定することを特徴とする付記４に記載の記録媒体。
（付記６）前記転換効果情報は、前記各メニューページが画面に表示される時に実行される画面転換効果と、画面から消える時に実行される画面転換効果とを含むことを特徴とする付記１に記載の記録媒体。
（付記７）前記制御情報は、ナビゲーション命令語で構成され、前記ナビゲーション命令語は、該当ナビゲーション命令語が適用されるメニューページの識別子及び前記転換効果情報のうち、画面から現れたり消えたりする効果情報を指定する情報を含むことを特徴とする付記１に記載の記録媒体。
（付記８）前記ナビゲーション命令語は、前記転換効果情報の識別子をさらに含むことを特徴とする付記７に記載の記録媒体。
（付記９）ビデオデータをデコーディングするビデオデコーダと、
前記ビデオデータに基づいた画像にオーバーレイされるメニュー画面のためのグラフィックデータをデコーディングするグラフィックデコーダと、を備え、
前記グラフィックデコーダは、複数のメニューページに定義された転換効果情報及び前記メニューページ間の第１転換時に定義された画面転換効果を実行し、複数のメニューページ間の第２画面転換効果を実行するか否かを定義する制御情報を解釈し、解釈された前記転換効果情報及び前記制御情報によって該当メニューページを画面に表示することを特徴とする再生装置。
（付記１０）前記制御情報は、前記メニューページに含まれるボタン情報の一部に含まれ、
前記グラフィックデコーダは、前記制御情報に基づいて該当ボタンが選択された場合、該当画面転換効果を選択的に実行することによって他のメニューページに転換するように制御することを特徴とする付記９に記載の再生装置。
（付記１１）メニュー画面を提供する複数のメニューページを含むグラフィックデータを読取るステップと、
読取られたグラフィックデータをデコーディングして該当メニューページを画面に表示するステップと、
メニューページの転換要求がある場合、前記各メニューページに定義された転換効果情報及び前記メニューページ間の転換時に定義された画面転換効果を実行するか否かを定義する制御情報を解釈し、解釈された前記転換効果情報及び前記制御情報によって該当メニューページを画面に表示するステップとを含むことを特徴とする再生方法。
（付記１２）前記制御情報は、前記メニューページに含まれるボタン情報の一部に含まれ、前記メニューページは、前記制御情報に基づいて該当ボタンが選択された場合に、該当画面転換効果を実行するかまたは実行せずに他のメニューページに転換されることを特徴とする付記１１に記載の再生方法。
（付記１３）記録及び／または再生装置に利用するためのマルチメディア情報記録媒体において、
ビデオデータに基づいてディスプレイされた画像上にオーバーレイされたメニューをディスプレイするためのビデオデータと、
グラフィックデータを含み、前記グラフィックデータは、
メニュースクリーンを具現するために、前記装置によって利用される少なくとも一つのメニューページであって、前記少なくとも一つのメニューページが前記メニュースクリーンに現れたり消えたりする時に、前記少なくとも一つのメニューページが画面転換効果を制御するためのナビゲーションコマンドを有さないならば、前記少なくとも一つのメニューページは、前記装置によって実行されるイン効果及びアウト効果情報を有する少なくとも一つのメニューページと、
メニューページが転換される時に、前記画面転換効果を制御するためにナビゲーションコマンドによって前記装置によって実行される複数の転換効果情報項目と、
前記少なくとも一つのメニューページのさらに他の一つへの移動を可能にする前記ナビゲーションコマンドを含んでいるグラフィックユーザインターフェース情報と、を含み、
前記ナビゲーションコマンドは、前記イン効果情報及び前記アウト効果情報の画面転換効果情報を実行するか否かを決定するために、及び前記イン効果情報と前記アウト効果情報とを差別化させるために、及び前記複数の転換効果情報項目の表示された一つを実行するために、前記装置によって使われることを特徴とする情報記録媒体。
（付記１４）前記ナビゲーションコマンドは、前記イン効果情報及び前記アウト効果情報を実行するか否かを決定するために、イネーブル及びディセーブルコマンドを含んでいることを特徴とする付記１３に記載の情報記録媒体。
（付記１５）前記複数のメニューページのそれぞれは、一つ以上の転換効果情報を含むことを特徴とする付記１３に記載の情報記録媒体。
（付記１６）前記ナビゲーションコマンドは、メニューページの識別子及び前記画面から現れたり消えたりする効果情報を指定する情報を含むことを特徴とする付記１３に記載の情報記録媒体。
（付記１７）コンピュータによって実行される付記１１に記載の方法を行う処理インストラクションで符号化されたコンピュータ判読可能媒体。
（付記１８）前記制御情報は、前記複数のメニューページに含まれたボタン情報に含まれ、前記メニューページは、ボタンが押される時に前記画面転換効果を発生するか、または発生しないことによって、前記制御情報に基づいてさらに他のメニューページに転換されることを特徴とする付記１７に記載のコンピュータ判読可能媒体。
（付記１９）記録及び／または再生装置に利用するためのマルチメディア情報記録媒体において、
複数の画面転換効果を定義する複数のメニューページであって、各メニューページは、メニューページがメニュー画面に現れたり消えたりする時に実行される効果情報を含めば、メニューページと、
転換効果定義情報項目と、
さらに他のメニューページに移動させるナビゲーションコマンドを含んでいる複数のボタン情報項目とを含み、
前記各転換効果定義情報項目は、対応するボタン情報項目が選択される時に対応する転換効果定義情報項目を装置が選択できるように対応するボタン情報項目と関連することを特徴とする情報記録媒体。
【図１】
2011086373.tif 000003
【図２】
2011086373.tif 000004
【図３Ａ】
2011086373.tif 000005
【図３Ｂ】
2011086373.tif 000006
【図３Ｃ】
2011086373.tif 000007
【図３Ｄ】
2011086373.tif 000008
【図４】
2011086373.tif 000009
【図５】
2011086373.tif 000010
【図６】
2011086373.tif 000011
【図７】
2011086373.tif 000012
【図８】
2011086373.tif 000013
【図９】
2011086373.tif 000014